(57)【要約】  本発明に係る無線基地局収容方法は、ネットワーク装置１００が、グループエリア毎に、少なくとも１つのパラメータ値を含むパラメータ集合を管理する工程Ａと、無線基地局２００の設置位置が決定された場合、ネットワーク装置１００が、無線基地局２００の設置位置を含むグループエリア用のパラメータ集合の中から１つのパラメータ集合を選択して無線基地局２００に割り当てる工程Ｂと、無線基地局２００が、ネットワーク装置１００に接続された後、割り当てられたパラメータ集合に含まれるパラメータ値を用いて動作する工程Ｃとを有する。
2009145210.tif 000002
【特許請求の範囲】
【請求項１】
移動通信システムに対して無線基地局を収容する無線基地局収容方法であって、
ネットワーク装置が、グループエリア毎に、少なくとも１つのパラメータ値を含むパラメータ集合を管理する工程Ａと、
前記無線基地局の設置位置が決定された場合、前記ネットワーク装置が、該無線基地局の設置位置を含むグループエリア用の前記パラメータ集合の中から１つのパラメータ集合を選択して該無線基地局に割り当てる工程Ｂと、
前記無線基地局が、前記ネットワーク装置に接続された後、割り当てられた前記パラメータ集合に含まれるパラメータ値を用いて動作する工程Ｃとを有することを特徴とする無線基地局収容方法。
【請求項２】
前記パラメータ集合の各々は、前記少なくとも１つのパラメータ値に、無線基地局識別子及びアドレス情報を関連付けており、
前記工程Ｂにおいて、前記ネットワーク装置は、前記無線基地局に対して割り当てた前記パラメータ集合に含まれる前記無線基地局識別子を、該無線基地局に対して通知し、
前記無線基地局が、前記無線基地局識別子に関連付けられているアドレス情報を、所定サーバ装置から取得する工程と、
前記無線基地局が、取得した前記アドレス情報を含む接続要求を前記ネットワーク装置に送信することによって、該アドレス情報に関連付けられているパラメータ値を取得する工程とを更に有することを特徴とする請求項１に記載の無線基地局収容方法。
【請求項３】
前記パラメータ集合の各々は、前記少なくとも１つのパラメータ値に、無線基地局識別子を関連付けており、
前記ネットワーク装置が、前記無線基地局に対して割り当てられた前記パラメータ集合に含まれる前記無線基地局識別子を、該無線基地局に対して通知する工程と、
前記無線基地局が、通知された前記無線基地局識別子を含む接続要求を前記ネットワーク装置に送信することによって、該無線基地局識別子に関連付けられているパラメータ値を取得する工程とを更に有することを特徴とする請求項１に記載の無線基地局収容方法。
【請求項４】
移動通信システムに対して無線基地局を収容する無線基地局収容方法で用いられるネットワーク装置であって、
グループエリア毎に、少なくとも１つのパラメータ値を含むパラメータ集合を管理するように構成されている管理部と、
前記無線基地局の設置位置が決定された場合、該無線基地局の設置位置を含むグループエリア用の前記パラメータ集合の中から１つのパラメータ集合を選択して該無線基地局に割り当てるように構成されている割当部とを具備することを特徴とするネットワーク装置。
【請求項５】
前記管理部は、前記パラメータ集合の各々として、前記少なくとも１つのパラメータ値に、無線基地局識別子及びアドレス情報を関連付けており、
前記割当部は、前記無線基地局に対して割り当てられた前記パラメータ集合に含まれる前記無線基地局識別子を、該無線基地局に対して通知するように構成されており、
前記無線基地局から接続要求を受信した場合、該接続要求に含まれるアドレス情報に関連付けられているパラメータ値を、該無線基地局に対して通知するように構成されている接続要求受信部を更に具備することを特徴とする請求項４に記載のネットワーク装置。
【請求項６】
前記管理部は、前記パラメータ集合の各々として、前記少なくとも１つのパラメータ値に、無線基地局識別子を関連付けており、
前記割当部は、前記無線基地局に対して割り当てられた前記パラメータ集合に含まれる前記無線基地局識別子を、該無線基地局に対して通知するように構成されており、
前記無線基地局から接続要求を受信した場合、該接続要求に含まれる無線基地局識別子に関連付けられているパラメータ値を、該無線基地局に対して通知するように構成されている接続要求受信部を更に具備することを特徴とする請求項４に記載のネットワーク装置。
【発明の詳細な説明】
【技術分野】
【０００１】
本発明は、移動通信システムに対して無線基地局を収容する無線基地局収容方法及びネットワーク装置に関する。
【背景技術】
【０００２】
一般的に、移動通信システムでは、公衆通信用無線基地局は、不規則に発生する移動局からの接続要求に応えるために、運用開始後は、定常的にネットワーク管理者によって運用管理されるように構成されている。【０００３】
例えば、公衆通信用無線基地局の運用開始作業は、ネットワーク管理者によって、以下のように行われる。【０００４】
（１）公衆通信用無線基地局を設置して結線等を行った後に電源を投入することによって、上位ノード（例えば、無線制御装置）との間の回線を開通させる。【０００５】
（２）ネットワーク経由若しくは手動の直接入力によって、公衆通信用無線基地局で用いられるべきパラメータ値を、無線制御装置に設定する。【０００６】
しかしながら、「ホーム無線基地局（Ｈｏｍｅ  ｅＮＢ）」と呼ばれる家庭等の小規模なエリアに設置される無線基地局は、ユーザ自身によって設定されることが想定されているため、設置される数が非常に多くなることが見込まれ、ネットワーク管理者によるパラメータ値の設定作業が多大になるという問題点があった。【０００７】
かかる問題点の解決案として、ホーム無線基地局に周辺環境認識機能を実装させ、ホーム無線基地局による周辺環境認識結果に基づいて自動的にパラメータ値の設定を行う方法が知られている。【０００８】
かかる方法では、ホーム無線基地局が、周辺無線基地局によって送信されている下り制御信号を受信して復調することで、既に周辺無線基地局で使用されている下りスクランブリングコードを判別し、無線制御装置が、かかる判別結果に基づいて当該ホーム無線基地局で使用すべき下りスクランブリングコードを自動的に決定するように構成されている。
【発明の概要】
【発明が解決しようとする課題】
【０００９】
しかしながら、上述の方法では、周辺セルリスト（Ｎｅｉｇｈｂｏｕｒ  Ｌｉｓｔ）等のホーム無線基地局の設置位置により決定されるパラメータ値（無線制御装置の構成データ）を、無線制御装置或いはホーム無線基地局において動的に生成する必要があり、無線制御装置或いはホーム無線基地局に対して大きな改修が必要にあるという問題点があった。【００１０】
例えば、ホーム無線基地局においては、上述の方法を実現するために、周辺無線基地局から送信される下り制御信号を特定するための受信機やフィルタ等のハードウェアについて大きな改修が必要になるという問題点があった。【００１１】
そこで、本発明は、上述の課題に鑑みてなされたものであり、無線制御装置或いはホーム無線基地局に対して大きな改修を行うことなく、ホーム無線基地局の設置位置により決定される適切なパラメータ値を用いてホーム無線基地局の運用を開始することができる無線基地局収容方法及びネットワーク装置を提供することを目的とする。
【課題を解決するための手段】
【００１２】
本発明の第１の特徴は、移動通信システムに対して無線基地局を収容する無線基地局収容方法であって、ネットワーク装置が、グループエリア毎に、少なくとも１つのパラメータ値を含むパラメータ集合を管理する工程Ａと、前記無線基地局の設置位置が決定された場合、前記ネットワーク装置が、該無線基地局の設置位置を含むグループエリア用の前記パラメータ集合の中から１つのパラメータ集合を選択して該無線基地局に割り当てる工程Ｂと、前記無線基地局が、前記ネットワーク装置に接続された後、割り当てられた前記パラメータ集合に含まれるパラメータ値を用いて動作する工程Ｃとを有することを要旨とする。【００１３】
本発明の第１の特徴において、前記パラメータ集合の各々は、前記少なくとも１つのパラメータ値に、無線基地局識別子及びアドレス情報を関連付けており、前記ネットワーク装置が、前記無線基地局に対して割り当てられた前記パラメータ集合に含まれる前記無線基地局識別子を、該無線基地局に対して通知する工程と、前記無線基地局が、通知された前記無線基地局識別子に関連付けられているアドレス情報を、所定サーバ装置から取得する工程と、前記無線基地局が、取得した前記アドレス情報を含む接続要求を前記ネットワーク装置に送信することによって、該アドレス情報に関連付けられているパラメータ値を取得する工程とを更に有してもよい。【００１４】
本発明の第１の特徴において、前記パラメータ集合の各々は、前記少なくとも１つのパラメータ値に、無線基地局識別子及びアドレス情報を関連付けており、前記ネットワーク装置が、前記無線基地局に対して割り当てられた前記パラメータ集合に含まれる前記無線基地局識別子を、該無線基地局に対して通知する工程と、前記無線基地局が、通知された前記無線基地局識別子を含む接続要求を前記ネットワーク装置に送信することによって、該無線基地局識別子に関連付けられているパラメータ値を取得する工程とを更に有してもよい。【００１５】
本発明の第２の特徴は、移動通信システムに対して無線基地局を収容する無線基地局収容方法で用いられるネットワーク装置であって、グループエリア毎に、少なくとも１つのパラメータ値を含むパラメータ集合を管理するように構成されている管理部と、前記無線基地局の設置位置が決定された場合、該無線基地局の設置位置を含むグループエリア用の前記パラメータ集合の中から１つのパラメータ集合を選択して該無線基地局に割り当てるように構成されている割当部とを具備することを要旨とする。【００１６】
本発明の第２の特徴において、前記管理部は、前記パラメータ集合の各々として、前記少なくとも１つのパラメータ値に、無線基地局識別子及びアドレス情報を関連付けており、前記割当部は、前記無線基地局に対して割り当てられた前記パラメータ集合に含まれる前記無線基地局識別子を該無線基地局に対して通知するように構成されており、前記無線基地局から接続要求を受信した場合、該接続要求に含まれるアドレス情報に関連付けられているパラメータ値を該無線基地局に対して通知するように構成されている接続要求受信部を更に具備してもよい。【００１７】
本発明の第２の特徴において、前記管理部は、前記パラメータ集合の各々として、前記少なくとも１つのパラメータ値に、無線基地局識別子を関連付けており、前記割当部は、前記無線基地局に対して割り当てられた前記パラメータ集合に含まれる前記無線基地局識別子を該無線基地局に対して通知するように構成されており、前記無線基地局から接続要求を受信した場合、該接続要求に含まれる無線基地局識別子に関連付けられているパラメータ値を該無線基地局に対して通知するように構成されている接続要求受信部を更に具備してもよい。
【発明の効果】
【００１８】
以上説明したように、本発明によれば、無線制御装置或いはホーム無線基地局に対して大きな改修を行うことなく、ホーム無線基地局の設置位置により決定される適切なパラメータ値を用いてホーム無線基地局の運用を開始することができる無線基地局収容方法及びネットワーク装置を提供することができる。
【図面の簡単な説明】
【００１９】
【図１】図１は、本発明の第１の実施形態に係る移動通信システムの全体構成図である。
【図２】図２は、本発明の第１の実施形態に係るオペレータ装置の機能ブロック図である。
【図３】図３は、本発明の第１の実施形態に係るオペレータ装置によって生成される構成データの一例を示す図である。
【図４】図４は、本発明の第１の実施形態に係る無線制御装置の機能ブロック図である。
【図５】図５は、本発明の第１の実施形態に係る無線基地局の機能ブロック図である。
【図６】図６は、本発明の第１の実施形態に係る無線基地局収容方法を示すフローチャートである。
【図７】図７は、本発明の第１の実施形態に係る無線基地局収容方法における構成データの反映処理及び無線基地局識別子の割り当て処理を説明するための図である。
【図８】図８は、本発明の第１の実施形態に係る無線基地局収容方法における収容対象の無線基地局が収容されるグループエリアの特定処理を説明するための図である。
【図９】図９は、本発明の変更例１に係る無線基地局収容方法におけるＩＰアドレスの取得処理及びパラメータ値配布処理を説明するための図である。
【図１０】図１０は、本発明の変更例１に係る移動通信システムの全体構成図である。
【図１１】図１１は、本発明の変更例２に係る移動通信システムの全体構成図である。
【発明を実施するための形態】
【００２０】
（本発明の第１の実施形態に係る移動通信システムの構成）
図１乃至図５を参照して、本発明の第１の実施形態に係る移動通信システムの構成について説明する。
【００２１】
図１に示すように、本実施形態に係る移動通信システムは、オペレータ装置１０と、無線制御装置（ＲＮＣ：Ｒａｄｉｏ  Ｎｅｔｗｏｒｋ  Ｃｏｎｔｒｏｌｌｅｒ）１００と、ＲＡＤＩＵＳサーバ（所定サーバ装置）２０と、無線基地局（ＮｏｄｅＢ）２００、２０１とを具備している。
【００２２】
無線基地局２００及び２０１は、無線制御装置１００に収容されており、家庭等の小規模のエリアに設置されるホーム基地局であるものとする。なお、無線制御装置１００において、後述する構成データ３００が管理されている。
【００２３】
図２に示すように、オペレータ装置１０は、グループエリア定義部１１と、設定部１２と、通知部１３とを具備している。なお、オペレータ装置１０は、無線制御装置１００と一体化されている装置であってもよい。
【００２４】
グループエリア定義部１１は、ネットワーク管理者によって入力された位置情報（経度・緯度情報等）等に基づいて、各グループエリアを定義するように構成されている。
【００２５】
なお、グループエリアは、各無線制御装置１００のカバーエリアを１つ又は複数に分割することによって得られるものである（図８参照）。
【００２６】
例えば、グループエリアは、円形状である場合、中心の位置情報及び半径によって定義され、長方形（正方形）形状である場合、対角線上に存在する２頂点の位置情報によって定義される。
【００２７】
設定部１２は、ネットワーク管理者による入力に基づいて、各無線制御装置１００の構成データ３００を設定するように構成されている。
【００２８】
かかる構成データ３００は、図３に示すように、グループエリア毎に設けられて複数のパラメータ集合を含むものである。パラメータ集合の各々は、少なくとも１つのパラメータ値（例えば、拡散コードＳｃＣや周辺セルリストＬｉｓｔ等）に、無線基地局識別子ＢＳＩＤ及びＩＰアドレス（アドレス情報）を関連付けるものである。
【００２９】
ここで、拡散コードＳｃＣや周辺セルリストＬｉｓｔ等は、無線基地局２００、２０１の設置位置により決定されるパラメータ値であるが、上述のパラメータ値には、無線基地局２００、２０１の設置位置に依存しないパラメータ値が含まれていてもよい。
【００３０】
通知部１３は、各無線制御装置１００に対して、設定した各無線制御装置１００の構成データ３００を通知するように構成されている。
【００３１】
図４に示すように、無線制御装置１００は、ネットワーク装置であって、構成データ受信部１０１と、構成データ管理部１０２と、接続要求受信部１０３と、パラメータ割当部１０４とを具備している。
【００３２】
構成データ受信部１０１は、オペレータ装置１０によって通知された構成データを受信するように構成されている。
【００３３】
構成データ管理部１０２は、構成データ受信部１０１によって受信された構成データを管理するように構成されている。具体的には、構成データ管理部１０２は、グループエリア毎に、少なくとも１つのパラメータ値を含むパラメータ集合、すなわち、図３に示すように、無線基地局識別子ＢＳＩＤとパラメータ値（拡散コードＳｃＣや周辺セルリストＬｉｓｔ等）とＩＰアドレスとを関連付けるパラメータ集合を管理するように構成されている。
【００３４】
パラメータ割当部１０４は、無線基地局２００、２０１の設置位置が決定された場合、かかる無線基地局２００、２０１の設置位置を含むグループエリア用のパラメータ集合の中から１つのパラメータ集合を選択して当該無線基地局２００、２０１に割り当てるように構成されている。
【００３５】
ここで、パラメータ割当部１０４は、かかる無線基地局無線基地局２００、２０１に対して割り当てたパラメータ集合に含まれる無線基地局識別子ＢＳＩＤを、当該無線基地局２００、２０１に対して通知するように構成されている。
【００３６】
接続要求受信部１０３は、無線基地局２００、２０１から送信された接続要求を受信するように構成されている。
【００３７】
例えば、接続要求受信部１０３は、無線基地局２００、２０１から接続要求を受信した場合、かかる接続要求に含まれるＩＰアドレス（アドレス情報）に関連付けられているパラメータ値を、かかる無線基地局２００、２０１に対して通知するように構成されている。ここで、ＩＰアドレスは、接続要求を通知するためのパケットの送信元アドレスとして含まれていてもよい。
【００３８】
また、接続要求受信部１０３は、無線基地局２００、２０１から接続要求を受信した場合、かかる接続要求に含まれる無線基地局識別子ＢＳＩＤに関連付けられているパラメータ値を、かかる無線基地局２００、２０１に対して通知するように構成されていてもよい。
【００３９】
図５に示すように、無線基地局２００、２０１は、記憶部２００Ａと、ＩＰアドレス取得部２００Ｂと、パラメータ取得部２００Ｃと、動作部２００Ｄとを具備している。
【００４０】
記憶部２００Ａは、無線基地局識別子ＢＳＩＤやパラメータ値（拡散コードＳｃＣや周辺セルリストＬｉｓｔ等）やＩＰアドレス等を記憶するように構成されている。
【００４１】
ＩＰアドレス取得部２００Ｂは、当該無線基地局２００、２０１に対して割り当てられている無線基地局識別子に関連付けられているアドレス情報を、ＲＡＤＩＵＳサーバ（所定サーバ装置）から取得して、記憶部２００Ａに記憶するように構成されている。
【００４２】
パラメータ取得部２００Ｃは、当該無線基地局２００、２０１に対して割り当てられている無線基地局識別子を取得して、記憶部２００Ａに記憶するように構成されている。
【００４３】
ここで、パラメータ取得部２００Ｃは、ネットワークを介して無線制御装置１００によって通知された無線基地局識別子ＢＳＩＤを取得するように構成されていてもよいし、無線制御装置１００によって割り当てられネットワーク管理者等によって手動で入力された無線基地局識別子ＢＳＩＤを取得するように構成されていてもよい。
【００４４】
また、パラメータ取得部２００Ｃは、ＩＰアドレス取得部２００Ｂによって取得されたＩＰアドレスを含む接続要求を無線制御装置１００に送信することによって、かかるＩＰアドレスに関連付けられているパラメータ値を取得するように構成されている。
【００４５】
或いは、パラメータ取得部２００Ｃは、パラメータ取得部２００Ｃによって取得された無線基地局識別子ＢＳＩＤを含む接続要求を無線制御装置１００に送信することによって、かかる無線基地局識別子ＢＳＩＤに関連付けられているパラメータ値及びＩＰアドレスを取得するように構成されている。
【００４６】
動作部２００Ｄは、無線制御装置１００に接続された後、割り当てられたパラメータ集合に含まれるパラメータ値拡散コードＳｃＣや周辺セルリストＬｉｓｔ等）を用いて動作するように構成されている。
【００４７】
（本発明の第１の実施形態に係る移動通信システムの動作）
図６乃至図９を参照して、本発明の第１の実施形態に係る移動通信システムの動作、具体的には、無線基地局２００を無線制御装置１００に収容する動作について説明する。
【００４８】
図６に示すように、ステップＳ１００１において、ネットワーク管理者（保守者）は、オペレータ装置１０を用いて、予め定められている無線制御装置１００のカバーエリアを、単数或いは複数に分割したグループエリアを定義する。図８に、無線制御装置１００のカバーエリアを、１６のグループエリアに分割した場合の例について示す。
【００４９】
ここで、ネットワーク管理者（保守者）は、各グループエリアにおける無線基地局の設置数や設置位置の推測に基づいて、各グループエリアの中心位置と無線基地局の設置位置との差分が小さくなるように、グループエリアの数及び各グループエリアの範囲を定義しておいてもよい。
【００５０】
ステップＳ１００２において、ネットワーク管理者（保守者）は、オペレータ装置１０を用いて、ステップＳ１００１において定義されたグループエリア毎に、無線基地局の設置数を考慮して、新たに設置される無線基地局に割り当てるべき無線基地局識別子ＢＳＩＤと共に、当該無線基地局の設置位置によって決まるパラメータ値（接続用パラメータ）を含む構成データを生成する。
【００５１】
ここで、ネットワーク管理者（保守者）は、かかる構成データにおいて、当該無線基地局の設置位置によって決まるパラメータ値、すなわち、隣接する無線基地局と重複しないように設定すべきパラメータ値（例えば、拡散コードＳｃＣ）については、オペレータ装置１０を用いて、例えば、グループエリア間で繰り返し同一の値を用いるように設定し、グループエリア内では互いに重複しないような値を設定しておく。
【００５２】
一方、ネットワーク管理者（保守者）は、かかる構成データにおいて、隣接する無線基地局同士で相関のあるパラメータ値（例えば、周辺セルリストＬｉｓｔ）については、オペレータ装置１０を用いて、例えば、グループエリア内で同一の値を設定しておき、グループエリア間では互いに異なる値を設定しておく。
【００５３】
このように設定された構成データの例について、図３に示す。図３の例では、ネットワーク管理者（保守者）は、オペレータ装置１０を用いて、例えば、各グループエリア＃１〜＃１６に対して、無線基地局識別子を５つずつ定義し、各無線基地局識別子に対して、拡散コードＳｃＣについては、グループエリア内で重複しないように「１」〜「５」を設定し、周辺セルリストＬｉｓｔについては、グループエリア内で同一とするように「１」〜「１６」を設定している。
【００５４】
なお、各グループエリア内で定義されるパラメータ集合の数については、図３に示すように、均等（５つずつ）にする必要はなく、例えば、特定のグループエリアに無線基地局がより多数設置されると予想される場合には、かかるグループエリアに他のグループエリアと比べてパラメータ集合を多数定義しておいてもよい。
【００５５】
すなわち、ネットワーク管理者（保守者）は、各グループエリアに収容される無線基地局の予定数分だけ、上述のパラメータ集合を設定しておいてもよい。
【００５６】
また、ネットワーク管理者（保守者）は、図８に示すように、無線基地局の設置位置に依存するパラメータ値を、各グループエリアの中心位置Ｏに無線基地局が設置されていると仮定して、グループエリア毎に設定しておいてもよい。
【００５７】
ステップＳ１００３において、ネットワーク管理者（保守者）は、オペレータ装置１０を用いて、無線制御装置１００に対して、ステップＳ１００２において生成された構成データ３００を設定する（図７参照）。
【００５８】
そして、ステップＳ１００４において、ネットワーク管理者（保守者）は、無線制御装置１００の運用を開始する。
【００５９】
その後、ステップＳ１００５において、無線基地局２００が無線制御装置１００に収容させることが決定した場合、ステップＳ１００６において、ネットワーク管理者（保守者）は、無線基地局装置２００の所有者（ユーザ）から、無線基地局装置２００の設置位置を確認する。
【００６０】
ステップＳ１００７において、ネットワーク管理者（保守者）は、無線制御装置１００に対して無線基地局装置２００の設置位置を入力し、無線制御装置１００が、無線基地局２００の設置位置を含むグループエリアを特定し、特定されたグループエリア用のパラメータ集合の中から１つのパラメータ集合を選択して無線基地局２００に割り当てる。
【００６１】
すなわち、無線制御装置１００は、特定されたグループエリアにおいて「未使用」のパラメータ集合（無線基地局識別子ＢＳＩＤやＩＰアドレスや拡散コードＳｃＣや周辺セルリストＬｉｓｔ等）を、無線基地局２００に割り当てる。
【００６２】
その後、図７に示すように、無線制御装置１００は、無線基地局２００に対して割り当てられたパラメータ集合に含まれる無線基地局識別子ＢＳＩＤを、無線基地局２００に通知する。
【００６３】
ここで、ネットワーク管理者（保守者）や無線基地局２００の販売店の店員等が、無線制御装置１００によって無線基地局２００に対して割り当てられたパラメータ集合に含まれる無線基地局識別子ＢＳＩＤを、無線基地局２００内の記憶部２００Ａに設定してもよい。
【００６４】
ステップＳ１００８において、図９に示すように、無線基地局２００は、ネットワーク管理者（保守者）や無線基地局２００の販売店の店員や無線基地局装置２００の所有者（ユーザ）等からの指示に応じて、ＲＡＤＩＵＳサーバから、当該無線基地局識別子ＢＳＩＤに関連付けられているＩＰアドレスを取得して、無線基地局２００内の記憶部２００Ａに設定する。
【００６５】
無線基地局２００は、ステップＳ１００９において、図９に示すように、上述の設置位置に設置される際に、無線制御装置１００に対して接続要求を送信する。
【００６６】
ステップＳ１０１０において、図９に示すように、無線制御装置１００は、受信した接続要求を通知するためのＩＰパケットのヘッダ（送信元アドレス）に含まれる無線基地局２００のＩＰアドレスに関連付けられたパラメータ値（拡散コードＳｃＣや周辺セルリストＬｉｓｔ等）を特定して、無線基地局２００に対して配布する。
【００６７】
なお、無線制御装置１００は、受信した接続要求に含まれる無線基地局識別子に関連付けられたパラメータ値（拡散コードＳｃＣや周辺セルリストＬｉｓｔ等）を特定して、無線基地局２００に対して配布してもよい。
【００６８】
その後、無線基地局２００は、無線制御装置１００によって配布されたパラメータ値を用いて動作を開始する。
【００６９】
なお、ネットワーク管理者（保守者）は、分割されたグループエリアの数及び各グループエリアに収容可能な無線基地局の数を、無線基地局の設置数や設置場所の推測に基づいて適切に設定することにより、各グループエリアに対して設定されるパラメータ値の精度（事前に設定していたパラメータ値と、実際の無線基地局の設置位置から割り出されるパラメータ値との差分）、及び、無線基地局収容の柔軟性（事前にグループエリア毎に設定しておくパラメータ集合の数と、実際に当該グループエリアに設置される無線基地局の数との差分）を両立することができる。
【００７０】
（本発明の第１の実施形態に係る移動通信システムの作用・効果）
本発明の第１の実施形態に係る移動通信システムによれば、無線基地局の収容の度に発生する構成データの作成及び反映に掛かる時間を削減して無線基地局の収容を容易に実現することができる。
【００７１】
（変更例１）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００７２】
図１０を参照して、本変更例１に係る移動通信システムについて説明する。以下、本変更例１に係る移動通信システムについて、上述の第1の実施形態に係る移動通信システムについて説明する。
【００７３】
図１０に示すように、本変更例１に係る移動通信システムは、ＬＴＥ方式の移動通信システムであって、オペレータ装置１０と、ＲＡＤＩＵＳサーバ（所定サーバ装置）２０と、無線基地局（ｅＮＢ）２００、２０１とを具備している。
【００７４】
本変更例１に係る移動通信システムでは、図４に示す無線制御装置（ＲＮＣ）１００の機能は、無線基地局２００、２０１又は交換局ＭＭＥに搭載されることになる。すなわち、本変更例では、無線基地局２００、２０１又は交換局ＭＭＥが、上述のネットワーク装置の役割を果たすように構成されている。
【００７５】
（変更例２）
図１１を参照して、本変更例２に係る移動通信システムについて説明する。以下、本変更例２に係る移動通信システムについて、上述の第1の実施形態に係る移動通信システムについて説明する。
【００７６】
図１１に示すように、本変更例２に係る移動通信システムは、ＷＣＤＭＡ方式又はＬＴＥ方式の移動通信システムであって、オペレータ装置１０と、ＲＡＤＩＵＳサーバ（所定サーバ装置）２０と、集約装置ＨＮＢ-ＧＷと、無線基地局（ＮｏｄｅＢ又はｅＮＢ）２００、２０１とを具備している。
【００７７】
本変更例２に係る移動通信システムでは、図４に示す無線制御装置（ＲＮＣ）１００の機能は、集約装置ＨＮＢ-ＧＷに搭載されることになる。すなわち、本変更例では、集約装置ＨＮＢ-ＧＷが、上述のネットワーク装置の役割を果たすように構成されている。
【００７８】
なお、上述の無線基地局２００、２０１や無線制御装置１００や交換局ＭＭＥや集約装置ＨＮＢ-ＧＷの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局２００、２０１や無線制御装置１００や交換局ＭＭＥや集約装置ＨＮＢ-ＧＷ内に設けられていてもよい。また、かかる記憶媒体及びプロセッサは、ディスクリートコンポーネントとして無線基地局２００、２０１や無線制御装置１００や交換局ＭＭＥや集約装置ＨＮＢ-ＧＷ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009145210.tif 000003
【図２】
2009145210.tif 000004
【図３】
2009145210.tif 000005
【図４】
2009145210.tif 000006
【図５】
2009145210.tif 000007
【図６】
2009145210.tif 000008
【図７】
2009145210.tif 000009
【図８】
2009145210.tif 000010
【図９】
2009145210.tif 000011
【図１０】
2009145210.tif 000012
【図１１】
2009145210.tif 000013
【国際調査報告】
2009145210.tif 000014
2009145210.tif 000015